(57)【要約】【課題】電池劣化を抑制しつつ、電池の充電を行う。【解決手段】リチウムイオン二次電池２２の電池容量を推定し、充電開始時の電池容量が所定の第１電池容量以下であると推定される場合に充電を開始し、充電の開始後、電池容量が所定の第２電池容量以上であると推定される場合に充電を終了する。【選択図】図１
2008259290.tif 000002
【特許請求の範囲】
【請求項１】
リチウムイオン二次電池の充電を行う充電装置において、
前記リチウムイオン二次電池の電池容量を推定する電池容量推定部と、
充電開始時の前記電池容量が所定の第１電池容量以下であると推定される場合に充電を
開始する充電開始部と、
前記充電の開始後、前記電池容量が所定の第２電池容量以上であると推定される場合に
充電を終了する充電終了部と、
を備えたことを特徴とする充電装置。
【請求項２】
請求項１記載の充電装置において、
前記電池容量推定部は、前記リチウムイオン二次電池の充電電流に基づいて電池容量を
推定することを特徴とする充電装置。
【請求項３】
請求項２記載の充電装置において、
前記電池容量推定部は、前記充電電流値を検出する充電電流検出部を備え、
前記充電開始部は、検出された前記充電電流が所定の第１基準電流以上である場合に前
記電池容量が所定の第１電池容量以下であると推定されたとして充電を開始し、
前記充電終了部は、検出された前記充電電流が所定の第２基準電流以下である場合に前
記電池容量が所定の第２電池容量以上であると推定されたとして充電を終了する、
ことを特徴とする充電装置。
【請求項４】
請求項１ないし請求項３のいずれかに記載の充電装置において、
前記充電の開始から所定の充電経過時間が経過した場合に、充電を強制的に終了する充
電強制終了部を備えたことを特徴とする充電装置。
【請求項５】
請求項１ないし請求項４のいずれかに記載の充電装置において、
前記電池容量推定部は、所定時間が経過する毎に前記電池容量の推定処理を行うことを
特徴とする充電装置。
【請求項６】
リチウムイオン二次電池の充電を行う充電制御方法において、
前記リチウムイオン二次電池の電池容量を推定する電池容量推定過程と、
充電開始時の前記電池容量が所定の第１電池容量以下であると推定される場合に充電を
開始する充電開始過程と、
前記充電の開始後、前記電池容量が所定の第２電池容量以上であると推定される場合に
充電を終了する充電終了過程と、
を備えたことを特徴とする充電制御方法。
【請求項７】
リチウムイオン二次電池の充電を行う充電装置をコンピュータにより制御するための制
御プログラムにおいて、
前記リチウムイオン二次電池の電池容量を推定させ、
充電開始時の前記電池容量が所定の第１電池容量以下であると推定される場合に充電を
開始させ、
前記充電の開始後、前記電池容量が所定の第２電池容量以上であると推定される場合に
充電を終了させる、
ことを特徴とする制御プログラム。
【発明の詳細な説明】
【技術分野】
【０００１】
本発明は、充電装置、充電制御方法および制御プログラムに係り、特にリチウムイオン
二次電池を充電するための充電装置、充電制御方法および制御プログラムに関する。
【背景技術】
【０００２】
従来の充電装置は、例えば、携帯電話の充電器のように、充電装置に充電を行いたい機
器をセットすることにより充電が開始されるのが一般的である（例えば、特許文献１参照
）。
しかしながら、通信と充電を同時に行うような上述したような充電方式を採用した場合
、通信だけを行いたい場合にも充電を開始してしまうこととなる。
ここで、充電対象の電池としてリチウムイオン電池を想定した場合、リチウムイオン電
池の特性を考えると電池電圧が高い状態を維持していると、電池電圧が低い状態よりも劣
化するスピードが速くなってしまうと言う問題がある。つまり、通信をする頻度が充電を
したい頻度よりも高くなると電池電圧は常に満充電に近い状態となるため、劣化が早まっ
てしまうという問題が生じることとなる。
【０００３】
そこで、充電を行うための充電開始スイッチを設け、充電を開始したい場合に、スイッ
チを押すということも考えられるが、できればスイッチを使用せずに充電を行うことがで
きた方がユーザにとっては、便利である。このことは、部品点数を削減することができる
ことからコスト削減にもつながる。
また、スイッチを使用する方法とは別個に、充電を終了する電圧を下げるということも
考えられるがトータルの使用可能な電池容量も低下するため、充電回数が増加することと
なり、ユーザの使い勝手が低下する。
【特許文献１】特開２００３−１２５０５６号公報
【発明の開示】
【発明が解決しようとする課題】
【０００４】
ところで、現在、携帯電話をはじめとする小型携帯機器は、電源としてリチウムイオン
二次電池などが用いられており、充電して動作を行うようにされている。
リチウムイオン二次電池は、その特性上、充電を繰り返しているうちに劣化が起こり、
十分な電池容量を確保できなくなり、交換する必要が生じる。
しかしながら、現在のリチウムイオン二次電池は、電池電圧の低下を知らせる機能を有
するものは提案され、市販もされているが、電池劣化そのものあるいは電池寿命を知らせ
るものはなく、劣化が進んだ場合には、充電直後にも拘わらず、すぐに電池容量が無くな
ってしまい、小型携帯機器を使用することができなくなってしまうという問題点があった
。
そこで、本発明の目的は、電池劣化を抑制しつつ、電池の充電を行うことが可能な充電
装置、充電制御方法および制御プログラムを提供することにある。
【課題を解決するための手段】
【０００５】
上記課題を解決するため、リチウムイオン二次電池の充電を行う充電装置において、前
記リチウムイオン二次電池の電池容量を推定する電池容量推定部と、充電開始時の前記電
池容量が所定の第１電池容量以下であると推定される場合に充電を開始する充電開始部と
、前記充電の開始後、前記電池容量が所定の第２電池容量以上であると推定される場合に
充電を終了する充電終了部と、を備えたことを特徴としている。
上記構成によれば、電池容量推定部は、リチウムイオン二次電池の電池容量を推定する
。
これにより、充電開始部は、充電開始時の電池容量が所定の第１電池容量以下であると
推定される場合に充電を開始し、充電終了部は、充電の開始後、電池容量が所定の第２電
池容量以上であると推定される場合に充電を終了する。
したがって、リチウムイオン二次電池が満充電状態に維持されることはなく、電池劣化
を抑制しつつ、充電を行うことができる。
【０００６】
この場合において、前記電池容量推定部は、前記リチウムイオン二次電池の充電電流に
基づいて電池容量を推定するようにしてもよい。
上記構成によれば、電池容量の推定に充電電流を用いているので、簡易な構成で正確に
電池容量を推定することができる。
【０００７】
また、前記電池容量推定部は、前記充電電流値を検出する充電電流検出部を備え、前記
充電開始部は、検出された前記充電電流が所定の第１基準電流以上である場合に前記電池
容量が所定の第１電池容量以下であると推定されたとして充電を開始し、前記充電終了部
は、検出された前記充電電流が所定の第２基準電流以下である場合に前記電池容量が所定
の第２電池容量以上であると推定されたとして充電を終了する、ようにしてもよい。
上記構成によれば、充電の開始、終了を確実かつ正確に判断して、リチウムイオン二次
電池の充電制御を最適な状態とすることができる。
【０００８】
また、前記充電の開始から所定の充電経過時間が経過した場合に、充電を強制的に終了
する充電強制終了部を備えるようにしてもよい。
上記構成によれば、リチウムイオン二次電池の劣化に伴う無用な消費電力を低減するこ
とができる。
【０００９】
また、前記電池容量推定部は、所定時間が経過する毎に前記電池容量の推定処理を行う
ようにっしてもよい。
上記構成によれば、リチウムイオン二次電池の性能を維持しつつ、充電回数を抑制する
ことができ、ひいては、消費電力を低減することができる。
【００１０】
また、リチウムイオン二次電池の充電を行う充電制御方法において、前記リチウムイオ
ン二次電池の電池容量を推定する電池容量推定過程と、充電開始時の前記電池容量が所定
の第１電池容量以下であると推定される場合に充電を開始する充電開始過程と、前記充電
の開始後、前記電池容量が所定の第２電池容量以上であると推定される場合に充電を終了
する充電終了過程と、を備えたことを特徴としている。
上記構成によれば、リチウムイオン二次電池が満充電状態に維持されることはなく、電
池劣化を抑制しつつ、充電を行うことができる。
【００１１】
また、リチウムイオン二次電池の充電を行う充電装置をコンピュータにより制御するた
めの制御プログラムにおいて、前記リチウムイオン二次電池の電池容量を推定させ、充電
開始時の前記電池容量が所定の第１電池容量以下であると推定される場合に充電を開始さ
せ、前記充電の開始後、前記電池容量が所定の第２電池容量以上であると推定される場合
に充電を終了させる、ことを特徴としている。
上記構成によれば、リチウムイオン二次電池が満充電状態に維持されることはなく、
電池劣化を抑制しつつ、充電を行うことができる。
この場合において、制御プログラムをコンピュータ読取可能な記録媒体に記録するよう
にしても良い。
【発明の効果】
【００１２】
本発明によれば、電池劣化を抑制しつつ、電池の充電を行うことができ、ユーザの利便
性が向上する。
【発明を実施するための最良の形態】
【００１３】
次に本発明の好適な実施の形態について説明する。
［１］第１実施形態
図１は、第１実施形態の充電システムの概要構成ブロック図である。
充電システム１０は、大別すると、充電アダプタ１１と、充電アダプタ１１により充電
され、負荷ＬＤに電源を供給する電池パック１２と、を備えている。
充電アダプタ１１は、充電電流を得るための電力を供給する電源１３と、電池パック１
２の充電端子Ｔ２が充電端子Ｔ１に接続されるようにセットされると、機械的に閉状態と
なるセット検出スイッチ１４と、セット検出信号Ｓｓｅｔおよび電流検出信号Ｓｃｕｒが
入力されるとともに、充電アダプタ１１全体を制御するコントローラ１５と、コントロー
ラ１５から出力される切換信号Ｓｓｗに基づいて電気的に閉状態となる充電制御スイッチ
１６と、充電制御スイッチ１６を介して供給される充電電流の電流量を検出し、電流検出
信号Ｓｃｕｒを出力する電流検出部１７と、を備えている。この場合において、電源１３
、セット検出スイッチ１４、コントローラ１５および充電制御スイッチ１６は、充電電力
を供給する充電部あるいは充電電圧を発生する充電電圧発生部として機能している。
【００１４】
電池パック１２は、充電端子Ｔ２を介して入力される充電電流量などの制御を行う充電
制御部２１と、充電制御部２１を介して供給される充電電流により蓄電を行うリチウムイ
オン二次電池２２と、を備えている。
コントローラ１５は、図示しないＭＰＵ、充電制御プログラムを含む各種制御プログラ
ムを格納したＲＯＭ、一時的にデータを格納するＲＡＭなどを備えたマイクロコンピュー
タとして構成されている。
【００１５】
ここで、リチウムイオン二次電池２２を充電する場合の充電方式について説明する。
図２は、定電流−定電圧充電方式における充電電流の時間的変化の説明図である。
定電流−定電圧充電方式においては、最初は、一定電流（＝Ｉｃｏｎｓｔ）で充電を行
い、ある程度電池容量が増加した時刻ｔ１以降は、一定電圧で充電を行うこととなる。
図３は、定電圧充電方式における充電電流の時間的変化の説明図である。
定電圧充電方式においては、最初から充電完了まで一定電圧で充電を行うこととなる。
定電流−定電圧充電方式と定電圧充電方式とを比較すると、定電流−定電圧充電方式の
方が充電完了までの時間は短く、定電圧充電方式の方が制御が簡単、ひいては、回路構成
が簡単となっているがいずれであっても、本発明の適用が可能である。
【００１６】
次に充電方式として定電流−定電圧充電方式を用いた場合の本発明の原理について説明
する。
図４は、充電方式として定電流−定電圧充電方式を用いた場合の本発明の原理説明図で
ある。
本発明においては、リチウムイオン二次電池の電池容量を推定し、充電開始時の電池容
量が所定の第１電池容量以下と推定される場合、すなわち、充電開始時の充電電流が電流
Ｉ１以上である場合に充電を開始する。この場合において、電池容量は、縦軸（充電電流
軸）、横軸（時間軸）および充電電流曲線で囲まれる領域の面積に相当している。例えば
、時刻ｔ１１における電池容量は斜線で示す部分の面積に相当することとなる。
したがって、充電開始時の電池容量が所定の第１電池容量を超えていると推定される場
合には、充電は開始されないので、満充電状態が継続されることはなく、リチウムイオン
二次電池２２の劣化を抑制することができるのである。
そして、充電が開始された場合には、電池容量が所定の第２電池容量（満充電に相当）
以上であると推定される場合、すなわち、時刻ｔ１２以降に示すように、充電電流が電流
Ｉ２以下である場合に充電を終了するようにしている。
【００１７】
次に充電方式として定電圧充電方式を用いた場合の本発明の原理について説明する。
図５は、充電方式として定電圧充電方式を用いた場合の本発明の原理説明図である。
本発明においては、リチウムイオン二次電池の電池容量を推定し、充電開始時の電池容
量が所定の第１電池容量以下と推定される場合、すなわち、充電開始時の充電電流が電流
Ｉ１１以上である場合に充電を開始する。この場合において、電池容量は、縦軸（充電電
流軸）、横軸（時間軸）および充電電流曲線で囲まれる領域の面積に相当している。例え
ば、時刻ｔ２１における電池容量は斜線で示す部分の面積に相当することとなる。
したがって、充電開始時の電池容量が所定の第１電池容量を超えていると推定される場
合には、充電は開始されないので、満充電状態が継続されることはなく、リチウムイオン
二次電池２２の劣化を抑制することができるのである。
そして、充電が開始された場合には、電池容量が所定の第２電池容量以上であると推定
される場合、すなわち、時刻ｔ２２以降に示すように、充電電流が電流Ｉ１２以下である
場合に充電を終了するようにしている。
【００１８】
次に実施形態の充電システムの動作について説明する。
図６は第１実施形態の動作説明図である。
まず、充電アダプタ１１のセット検出スイッチ１４は、電池パック１２の充電端子Ｔ２
が充電端子Ｔ１に接続されるようにセットされると、機械的に閉状態となり、セット検出
信号Ｓｓｅｔを“Ｈ”レベルとする。
一方、コントローラ１５は、電池パック１２がセットされたか否かを、セット検出信号
Ｓｓｅｔが“Ｈ”レベルとなったか否かに基づいて判別する（ステップＳ１１）。
ステップＳ１１の判別において、電池パック１２がセットされていない場合には（ステ
ップＳ１１；Ｎｏ）、コントローラ１５は待機状態となる。
ステップＳ１１の判別において、電池パック１２がセットされている場合には（ステッ
プＳ１１；Ｙｅｓ）、コントローラ１５は、充電制御スイッチ１６に切換信号Ｓｓｗを出
力し、充電制御スイッチ１６を閉状態（オン状態）とする。
【００１９】
この結果、電流検出部１７および充電端子Ｔ１を介して電池パック１２に電源１３から
の充電電流が供給されることとなる。
このとき、電流検出部１７は、充電電流量を検出し、検出結果を電流検出信号Ｓｃｕｒ
としてコントローラ１５に出力する。
コントローラ１５は、電流検出信号Ｓｃｕｒに対応する検出電流が第１基準電流である
電流Ｉ１以上であるか否かを判別する（ステップＳ１４）。すなわち、このときコントロ
ーラ１５は、電池容量推定部として機能している。
ステップＳ１４の判別において、電流検出信号Ｓｃｕｒに対応する検出電流が第１基準
電流である電流Ｉ１未満である場合には、コントローラ１５は、充電制御スイッチ１６に
切換信号Ｓｓｗを出力し、充電制御スイッチ１６を開状態（オフ状態）とし（ステップＳ
１８）、処理を終了する。
ステップＳ１４の判別において、電流検出信号Ｓｃｕｒに対応する検出電流が第１基準
電流である電流Ｉ１以上である場合には、コントローラ１５は、リチウムイオン二次電池
２２の仕様で規定されている通常使用状態における最大連続充電時間である規定充電時間
に充電経過時間が至ったか否かを判別するための図示しないタイマ（あるいは内部タイマ
）をスタートさせる（ステップＳ１５）。
【００２０】
続いてコントローラ１５は、タイマが終了（カウントアップ）したか否かを判別する（
ステップＳ１６）。
ステップＳ１６の判別において、タイマが終了した場合には（ステップＳ１６；Ｙｅｓ
）、充電状態にかかわらず、一旦充電を中断するため、コントローラ１５は、充電制御ス
イッチ１６に切換信号Ｓｓｗを出力し、充電制御スイッチ１６を開状態として処理を終了
する（ステップＳ１８）。すなわち、このときコントローラ１５は、充電の開始から所定
の充電経過時間が経過した場合に、充電を強制的に終了する充電強制終了部として機能し
ている。
ステップＳ１６の判別において、タイマが終了していない場合には（ステップＳ１６；
Ｎｏ）、コントローラ１５は、電流検出信号Ｓｃｕｒに対応する検出電流が第２基準電流
である電流Ｉ２を超えているか否かを判別する（ステップＳ１７）。
ステップＳ１７の判別において、電流検出信号Ｓｃｕｒに対応する検出電流が第２基準
電流である電流Ｉ２を超えている場合には（ステップＳ１７；Ｙｅｓ）、コントローラ１
５は、処理を再びステップＳ１６に移行し、以下同様の処理を行う。
ステップＳ１７の判別において、電流検出信号Ｓｃｕｒに対応する検出電流が第２基準
電流である電流Ｉ２未満である場合には（ステップＳ１７；Ｎｏ）、リチウムイオン二次
電池２２は、満充電状態であると考えられるので、充電を終了するため、コントローラ１
５は、充電制御スイッチ１６に切換信号Ｓｓｗを出力し、充電制御スイッチ１６を開状態
として処理を終了する（ステップＳ１８）。
【００２１】
以上の説明のように、本第１実施形態によれば、充電開始時のリチウムイオン二次電池
２２の電池容量が所定の第１電池容量以下であると推定される場合、すなわち、検出され
た充電電流が所定の第１基準電流以上である場合に充電を開始し、充電の開始後、電池容
量が所定の第２電池容量以上であると推定される場合、すなわち、検出された充電電流が
所定の第２基準電流以下である場合に充電を終了するので、リチウムイオン二次電池が所
定の電圧より低くなった場合にのみ充電を開始するため、満充電状態で充電を継続したり
、過放電を招くことがなく、電池劣化の少ない充電システムを構築することが可能となる
。
【００２２】
以上の説明は、１回の充電処理であったが、実際の電池パック１２の使用状態において
は、電池パック１２を充電アダプタ１１に装着したままの場合も起こりえる。
以下、電池パック１２を充電アダプタ１１に装着したままとし、充電処理を再開する場
合も含めた処理について説明する。
【００２３】
図７は、第１実施形態の変形例の動作説明図である。
まず、充電アダプタ１１のセット検出スイッチ１４は、電池パック１２の充電端子Ｔ２
が充電端子Ｔ１に接続されるようにセットされると、機械的に閉状態となり、セット検出
信号Ｓｓｅｔを“Ｈ”レベルとする。
一方、コントローラ１５は、電池パック１２がセットされたか否かを、セット検出信号
Ｓｓｅｔが“Ｈ”レベルとなったか否かに基づいて判別する（ステップＳ２１）。
ステップＳ２１の判別において、電池パック１２がセットされていない場合には（ステ
ップＳ２１；Ｎｏ）、コントローラ１５は待機状態となる。
ステップＳ２１の判別において、電池パック１２がセットされている場合には（ステッ
プＳ２１；Ｙｅｓ）、コントローラ１５は、充電制御スイッチ１６に切換信号Ｓｓｗを出
力し、充電制御スイッチ１６を閉状態（オン状態）とする。
【００２４】
この結果、電流検出部１７および充電端子Ｔ１を介して電池パック１２に電源１３から
の充電電流が供給されることとなる。
このとき、電流検出部１７は、充電電流量を検出し、検出結果を電流検出信号Ｓｃｕｒ
としてコントローラ１５に出力する。
コントローラ１５は、電流検出信号Ｓｃｕｒに対応する検出電流が第１基準電流である
電流Ｉ１以上であるか否かを判別する（ステップＳ２４）。
ステップＳ２４の判別において、電流検出信号Ｓｃｕｒに対応する検出電流が第１基準
電流である電流Ｉ１未満である場合には、コントローラ１５は、充電制御スイッチ１６に
切換信号Ｓｓｗを出力し、充電制御スイッチ１６を開状態（オフ状態）とし（ステップＳ
２８）、処理を終了する。
ステップＳ２４の判別において、電流検出信号Ｓｃｕｒに対応する検出電流が第１基準
電流である電流Ｉ１以上である場合には、コントローラ１５は、リチウムイオン二次電池
２２の仕様で規定されている通常使用状態における最大連続充電時間である規定充電時間
に充電経過時間が至ったか否かを判別するための図示しない第１タイマ（あるいは第１内
部タイマ）をスタートさせる（ステップＳ２５）。
【００２５】
続いてコントローラ１５は、第１タイマが終了（カウントアップ）したか否かを判別す
る（ステップＳ２６）。
ステップＳ２６の判別において、第１タイマが終了した場合には（ステップＳ２６；Ｙ
ｅｓ）、充電状態にかかわらず、一旦充電を中断するため、コントローラ１５は、充電制
御スイッチ１６に切換信号Ｓｓｗを出力し、充電制御スイッチ１６を開状態として処理を
終了する（ステップＳ２８）。
ステップＳ２６の判別において、第１タイマが終了していない場合には（ステップＳ２
６；Ｎｏ）、コントローラ１５は、電流検出信号Ｓｃｕｒに対応する検出電流が第２基準
電流である電流Ｉ２を超えているか否かを判別する（ステップＳ２７）。
ステップＳ２７の判別において、電流検出信号Ｓｃｕｒに対応する検出電流が第２基準
電流である電流Ｉ２を超えている場合には（ステップＳ２７；Ｙｅｓ）、コントローラ１
５は、処理を再びステップＳ２６に移行し、以下同様の処理を行う。
【００２６】
ステップＳ２７の判別において、電流検出信号Ｓｃｕｒに対応する検出電流が第２基準
電流である電流Ｉ２未満である場合には（ステップＳ２７；Ｎｏ）、リチウムイオン二次
電池２２は、満充電状態であると考えられるので、充電を終了するため、コントローラ１
５は、充電制御スイッチ１６に切換信号Ｓｓｗを出力し、充電制御スイッチ１６を開状態
とする（ステップＳ２８）。
次にコントローラ１５は、前回の充電あるいは前回の充電電流検出タイミングから所定
時間（本実施形態では２４時間＝１日）が経過したか否かを判別するための図示しない第
２タイマ（あるいは第２内部タイマ）をスタートさせる（ステップＳ２９）。すなわち、
このときコントローラ１５は、所定時間が経過する毎に前記電池容量の推定処理を行う電
池容量推定部として機能している。
続いてコントローラ１５は、第２タイマが終了（カウントアップ）したか否かを判別す
る（ステップＳ３０）。
【００２７】
ステップＳ３０の判別において、第２タイマが終了していない場合には（ステップＳ３
０；Ｎｏ）、コントローラ１５は、待機状態となる。
ステップＳ３０の判別において、第２タイマが終了した場合には（ステップＳ３０；Ｙ
ｅｓ）、再び充電を開始するかを判別するため、処理をステップＳ２２に移行し、以下同
様の処理を繰り返すこととなる。
【００２８】
以上の説明のように、本第１実施形態の変形例によれば、第１実施形態の効果に加えて
、所定時間が経過すれば、再び、充電を開始するかを判別し、リチウムイオン二次電池２
２の電池容量が所定の第１電池容量以下であると推定される場合、すなわち、検出された
充電電流が所定の第１基準電流以上である場合に充電を開始することとなるので、常に最
適な充電状態にリチウムイオン二次電池２２を保持することができ、電池劣化の少ない充
電システムを構築することが可能となる。
【００２９】
［２］第２実施形態
以上の第１実施形態は、充電アダプタ１１と、電池パック１２とを充電端子Ｔ１、Ｔ２
を介して直接電気的に接続する場合のものであったが、本第２実施形態は、コイルを介し
て電磁結合により電気的に接続する場合の実施形態である。
図８は第２実施形態の充電システムの概要構成ブロック図である。図８において、図１
と同様の部分には、同一の符号を付すものとし、その詳細な説明を援用する。
充電システム１０Ａが図１の充電システム１０と異なる点は、充電端子Ｔ１、Ｔ２に代
えて、コイルＬ１、Ｌ２を設け、電磁結合により電力転送を図っている点である。
本第２実施形態によれば、第１実施形態の効果に加えて、電池パック１２を充電アダプ
タ１１の所定位置に配置するだけで、機械的に接続することなく、充電を行うことができ
、より利便性が向上することとなる。
【００３０】
［３］実施形態の変形例
以上の説明においては、電池パック１２が外部の負荷ＬＤに電力を供給する構成を採っ
ていたが、電池パック１２および負荷ＬＤが一体となった携帯型電子機器のような態様で
あっても、本発明の適用が可能である。
以上の説明においては、上記各機能を実現するための制御プログラムが、予め図示しな
いＲＯＭに格納されている場合について説明したが、充電アダプタにインタフェース部を
設け、制御プログラムを、コンピュータ（ＣＰＵ）読取可能な記録媒体に記録するように
してもよい。このような構成であれば、コンピュータによってプログラムが記憶媒体から
読み取られ、読み取られたプログラムに従ってコンピュータが処理を実行すると、上記各
実施形態と同等の作用および効果が得られる。
【００３１】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、どのような記憶媒
体であってもよい。
また、インターネット、ＬＡＮなどの通信ネットワークを介して制御用プログラムをダ
ウンロードし、インストールして実行するように構成することも可能である。
【図面の簡単な説明】
【００３２】
【図１】第１実施形態の充電システムの概要構成ブロック図である。
【図２】定電流−定電圧充電方式における充電電流の時間的変化の説明図である。
【図３】図３は、定電圧充電方式における充電電流の時間的変化の説明図である。
【図４】充電方式として定電流−定電圧充電方式を用いた場合の本発明の原理説明図である。
【図５】充電方式として定電圧充電方式を用いた場合の本発明の原理説明図である。
【図６】第１実施形態の動作説明図である。
【図７】第１実施形態の変形例の動作説明図である。
【図８】第２実施形態の充電システムの概要構成ブロック図である。
【符号の説明】
【００３３】
１０…充電システム、１０Ａ…充電システム、１１…充電アダプタ、１２…電池パック
、１３…電源、１４…セット検出スイッチ、１５…コントローラ、１６…充電制御スイッ
チ、１７…電流検出部、２１…充電制御部、２２…リチウムイオン二次電池、Ｉ１１…電
流、Ｉ１２…電流、ｔ１１…時刻、ｔ１２…時刻、ｔ２１…時刻、ｔ２２…時刻、ＬＤ…
負荷、Ｓｃｕｒ…電流検出信号、Ｓｓｅｔ…セット検出信号、Ｓｓｗ…切換信号、Ｉ１…
電流（第１基準電流）、Ｉ２…電流（第２基準電流）、Ｌ１…コイル、Ｌ２…コイル、Ｔ
１…充電端子、Ｔ２…充電端子。
【図１】
2008259290.tif 000003
【図２】
2008259290.tif 000004
【図３】
2008259290.tif 000005
【図４】
2008259290.tif 000006
【図５】
2008259290.tif 000007
【図６】
2008259290.tif 000008
【図７】
2008259290.tif 000009
【図８】
2008259290.tif 000010